(57)【要約】      （修正有）【課題】監視データ異常が発生した場合に、問題のある機器を効率的に特定することができるプラント監視装置を提供する。【解決手段】監視対象装置１３２、１３３、１３４、１３５の機器に異常がある場合に、異常のある機器からのプラントデータである異常プラントデータと異常プラントデータを使用して計算した異常計算結果に不信頼符号が付加された処理結果情報を表示する表示装置１０６と、表示装置１０６に表示された処理結果情報における不信頼符号が付加された異常計算結果の数値または項目が選択された場合に、選択された異常計算結果に関連する機器を検索し、検索された関連機器情報を含んだ検索結果情報を表示装置１０６に表示させる不信頼データ元点番号検索装置１０１と、を備える。【選択図】図１
2011221601.tif 000002
【特許請求の範囲】
【請求項１】
監視対象装置のプラントデータに基づいて前記監視対象装置を監視するプラント監視装置であって、
前記監視対象装置の機器に異常がある場合に、異常のある機器からのプラントデータである異常プラントデータと前記異常プラントデータを使用して計算した異常計算結果に不信頼符号が付加された処理結果情報を表示する表示装置と、
前記表示装置に表示された前記処理結果情報における前記不信頼符号が付加された前記異常計算結果の数値または項目が選択された場合に、前記選択された異常計算結果に関連する機器を検索し、検索された関連機器情報を含んだ検索結果情報を前記表示装置に表示させる不信頼データ元点番号検索装置と、を備えたプラント監視装置。
【請求項２】
前記不信頼データ元点番号検索装置は、
前記プラントデータをプラントデータ点番号により区別し、前記プラントデータ点番号毎に前記不信頼符号の有無を区別した不信頼情報を含んだ不信頼情報ファイルと、
前記プラントデータを使用して計算した計算結果を計算値データ点番号により区別し、前記計算値データ点番号毎に前記不信頼符号の有無を区別した計算情報を含んだ計算情報ファイルと、
前記プラントデータ点番号と前記計算値データ点番号とが関連付けされたデータ不信頼関連情報を含んだデータ不信頼関連情報ファイルと、を検索し、前記表示装置に検索された関連機器情報を含んだ検索結果情報を生成することを特徴とした請求項１記載のプラント監視装置。
【請求項３】
前記不信頼データ元点番号検索装置は、
前記プラントデータをプラントデータ点番号により区別し、前記プラントデータ点番号毎に前記不信頼符号の有無を区別した不信頼情報を含んだ不信頼情報ファイルと、
前記プラントデータを使用して計算した計算結果を計算値データ点番号により区別し、前記計算値データ点番号毎に前記不信頼符号の有無を区別した計算情報を含んだ計算情報ファイルと、
前記計算に用いた計算式を、前記プラントデータ点番号と前記計算値データ点番号とを用いて表わしたデータ計算処理情報を含んだデータ計算処理情報ファイルと、を検索し、前記表示装置に検索された関連機器情報を含んだ検索結果情報を生成することを特徴とした請求項１記載のプラント監視装置。
【請求項４】
前記監視対象装置の機器に異常がある場合において、監視対象の機器の一覧情報であるシステム機器情報から前記異常のある機器が選択された場合に、前記選択された異常のある機器に関連する計算結果を検索し、前記計算結果の送付先の情報を含んだ検索結果情報を前記表示装置に表示させる不信頼データ影響範囲検索装置を備えた請求項１乃至３のいずれか１項に記載のプラント監視装置。
【請求項５】
前記不信頼データ影響範囲検索装置は、
前記プラントデータを区別するプラントデータ点番号と、前記プラントデータを使用して計算した計算結果を区別する計算値データ点番号とが関連付けされたデータ不信頼関連情報を含んだデータ不信頼関連情報ファイルを検索し、前記表示装置に前記計算結果の送付先の情報を含んだ検索結果情報を生成することを特徴とした請求項４記載のプラント監視装置。
【請求項６】
前記不信頼データ影響範囲検索装置は、
前記プラントデータの計算に用いた計算式を、前記プラントデータを区別するプラントデータ点番号と、前記プラントデータを使用して計算した計算結果を区別する計算値データ点番号と、を用いて表わしたデータ計算処理情報を含んだデータ計算処理情報ファイルを検索し、前記表示装置に前記計算結果の送付先の情報を含んだ検索結果情報を生成することを特徴とした請求項４記載のプラント監視装置。
【請求項７】
前記不信頼データ元点番号検索装置は、
前記選択された異常計算結果に関連する機器を検索し、前記表示装置に検索された関連機器情報及び前記異常計算結果の原因情報を含んだ検索結果情報を前記表示装置に表示させることを特徴とした請求項１乃至６のいずれか１項に記載のプラント監視装置。
【請求項８】
前記不信頼データ元点番号検索装置により生成され、前記表示装置に表示された検索結果情報において、前記プラントデータを使用して計算した計算結果が選択された場合に、前記計算に用いた計算式の計算式情報が前記表示装置に表示されることを特徴とした請求項１乃至７のいずれか１項に記載のプラント監視装置。
【請求項９】
監視対象装置の機器に異常がある場合に、異常のある機器からのプラントデータである異常プラントデータに基づいて計算した異常計算結果に不信頼符号が付加された処理結果情報から、前記異常計算結果に関連する機器情報を含んだ検索結果情報を生成するプラント監視装置の情報生成方法であって、
前記処理結果情報における前記不信頼符号が付加された前記異常計算結果の数値または項目が選択された場合に、前記選択された異常計算結果に関連する機器を検索する検索手順と、
前記検索手順で検索された関連機器情報を含んだ検索結果情報を生成する検索結果情報生成手順と、を含むプラント監視装置の情報生成方法。
【発明の詳細な説明】
【技術分野】
【０００１】
本発明は、プラント監視システムに関し、特に監視データ異常時の原因究明、復旧作業の支援を強化したプラント監視装置に関するものである。
【背景技術】
【０００２】
監視システムは、温度、圧力、位置、その他各種センサー等、監視の対象となる装置からの情報を運転・監視員に提示するとともに、運転・監視員の操作によりモーター、弁、開閉器、油圧装置など各種装置を制御するシステムであり、発電プラント、化学プラント、受配電設備、上下水道など、幅広い分野で用いられている。
【０００３】
典型的な監視システムは、監視の対象となる装置のデータを送るデータ伝送器、伝送線路を通じて装置のデータを収集するプラントデータ集積装置、装置のデータをもとに計算等を行う技術計算装置等から構成されている。
【０００４】
特許文献１には、監視員による正確な状況判断を可能にすることを目的にし、公衆回線などの通信回線を使用した広域遠隔監視システムが開示されている。この広域遠隔監視システムは、データ受信に遅延が生じた場合や所定の周期で新しいデータが受信できなかった場合に、通信遅延監視機能により不信頼表示を監視画面に出力していた。監視員は、監視画面に表示された不信頼表示により、表示データの信頼性を確認できるようにしていた。
【先行技術文献】
【特許文献】
【０００５】
【特許文献１】特開平１１−３３１９５９号公報（図１、図３）
【発明の概要】
【発明が解決しようとする課題】
【０００６】
典型的な監視システムは、システムの機器（検出器等）を通して得たプラント値から技術計算（性能計算等）、予測計算等を行っており、複数のプラント値を使用して計算を行い、結果を監視画面に表示するとともに関係他部門に送付する構成となっている。特許文献１の広域遠隔監視システムに示された通信遅延による不信頼表示がついたデータに基づいて計算する場合は、計算結果も不信頼のデータとして、その計算値に不信頼表示を付加することになる。
【０００７】
監視員は、監視画面に表示された不信頼表示とそのデータを見ることはできる。しかしながら、監視画面に表示されるデータは計算された数値もあり、プラント内のどの機器が故障しているかを判断するためには、監視画面に表示された不信頼表示の付されたデータがどの機器（検出器等）から送られたデータを元に計算されたものか、仕様書をみながら探す必要があり、どこの機器が故障したかを決定するのに時間がかかるという問題があった。特に、関係他部門に送付しているデータが不信頼となった場合は、短時間で復旧を行なうとともにデータが不信頼となった原因を報告する必要があるが、復旧、報告に時間がかかることがあるという問題があった。
【０００８】
本発明は、監視データ異常が発生した場合に、問題のある機器を効率的に特定することができるプラント監視装置を得ることを目的にする。
【課題を解決するための手段】
【０００９】
監視対象装置の機器に異常がある場合に、異常のある機器からのプラントデータである異常プラントデータと異常プラントデータを使用して計算した異常計算結果に不信頼符号が付加された処理結果情報を表示する表示装置と、表示装置に表示された処理結果情報における不信頼符号が付加された異常計算結果の数値または項目が選択された場合に、選択された異常計算結果に関連する機器を検索し、検索された関連機器情報を含んだ検索結果情報を表示装置に表示させる不信頼データ元点番号検索装置と、を備えた。
【発明の効果】
【００１０】
本発明に係るプラント監視装置は、表示装置に表示された不信頼符号が付加された異常計算結果の数値または項目が選択された場合に、選択された異常計算結果に関連する機器を検索し、検索された関連機器情報を含んだ検索結果情報を表示装置に表示させるので、監視データ異常が発生した場合に、問題のある機器を効率的に特定することができる。
【図面の簡単な説明】
【００１１】
【図１】本発明の実施の形態１によるプラント監視システムの構成を示す図である。
【図２】図１の不信頼データ元点番号検索装置の処理を説明する図である。
【図３】図１のプラント監視装置の表示処理を説明する図である。
【図４】本発明の実施の形態２によるプラント監視システムの構成を示す図である。
【図５】図４の不信頼データ影響範囲検索装置の処理を説明する図である。
【図６】本発明の実施の形態３によるプラント監視システムの構成を示す図である。
【図７】図６の不信頼データ元点番号検索装置の処理を説明する図である。
【図８】図６の不信頼データ影響範囲検索装置の処理を説明する図である。
【図９】本発明の実施の形態４によるプラント監視システムの構成を示す図である。
【図１０】図９の不信頼データ元点番号検索装置の処理を説明する図である。
【図１１】図１０の検索結果情報が変化した後の表示例を示す図である。
【発明を実施するための形態】
【００１２】
実施の形態１．
図１は本発明の実施の形態１によるプラント監視システムの構成を示す図である。プラント監視システムは、監視対象である複数の監視対象装置１３２、１３３、１３４、１３５のプラントデータを、それぞれのデータ伝送器１２３、１２４、１２５、１２６により伝送線路１４０を通じてプラント監視装置１５０に送信する。プラント監視装置１５０は、プラントデータ集積装置１０４、技術計算装置１０５、表示装置１０６、不信頼データ元点番号検索装置１０１を有する。監視対象装置１３２は、タンク１３０、プラントデータ検出器１３１を有する。なお、伝送線路１４０には、他の監視対象装置のデータ伝送器も接続される。
【００１３】
プラントデータ集積装置１０４は、複数の監視対象装置１３２、１３３、１３４、１３５からプラントデータＰと機器異常信号Ｘを受信し、監視対象装置の機器が故障しているあるいは異常のあるデータには、不信頼データとしてデータに例えば符号「＊」（不信頼符号）をつけて技術計算装置１０５に送信する。技術計算装置１０５は、プラントデータＰをもとに技術計算（性能計算等）、予測計算を行う。その計算結果は表示装置１０６に送信され、また関連する他部門１０７にも送信される。不信頼データ元点番号検索装置１０１は、表示装置１０６の監視画面に表示された不信頼データ（不信頼符号が付されたデータ）を選択することにより、該当する不信頼データの元となった故障（異常）した機器を検索し、結果をポップアップで表示装置１０６に画面表示させる。
【００１４】
図２は不信頼データ元点番号検索装置１０１の処理を説明する図であり、図３はプラント監視装置１０５の表示処理を説明する図である。プラント監視装置１５０の動作について説明する。各監視対象装置１３２、１３３、１３４、１３５から送信されてくるプラン
トデータＰと機器異常信号Ｘに、点番号を付してそれぞれを区別して管理する。また、技術計算装置１０５が行う計算における全ての計算結果にも点番号を付してそれぞれを区別して管理する。以下、符号Ｐはプラントデータを示し、符号Ｕは計算結果である計算値を示し、符号Ｄは情報を示す。図３にて、プラントデータ集積装置１０４は、監視対象装置１３２、１３３、１３４、１３５からデータ伝送器１２３、１２４、１２５、１２６を経由して、プラントデータＰと機器異常信号Ｘを受信する。３２０は検出器毎のプラント値であり、３２１は検出器毎の異常信号である。監視対象装置１３２、１３３、１３４、１３５から独立にデータが送信されるが、ここでは検出器毎のプラント値３２０及び検出器毎の異常信号３２１は、見易くするために一覧表形式（ファイル形式）で記載している。左の列に点番号が配置され、右の列にはデータの値が配置される。検出器毎のプラント値３２０は各検出器から送られてきたプラントデータを保存しているファイルであり、検出器毎の異常信号３２１は各検出器から送られてきた異常信号を保存しているファイルである。
【００１５】
データ伝送器１２３から送信されたプラントデータＰ及び機器異常信号Ｘを例に説明する。点番号Ｐ１２３を付されたプラントデータＰ（以後、適宜プラントデータＰ１２３とし、他の機器についても同様にする）は１０．０であり、点番号Ｘ１２３を付された機器異常信号Ｘ（以後、適宜機器異常信号Ｘ１２３とし、他の機器についても同様にする）は０である。データ伝送器１２４、１２５、１２６から送信されたプラントデータＰ及び機器異常信号Ｘについても同様である。プラントデータＰ１２４は２０．０であり、プラントデータＰ１２５は１００．０であり、プラントデータＰ１２６は３０．０である。機器異常信号Ｘ１２４は０であり、機器異常信号Ｘ１２５は１であり、機器異常信号Ｘ１２６は０である。機器異常信号Ｘが０である場合は、機器が故障していないあるいは異常でない（正常）ことを示し、機器異常信号Ｘが１である場合は、機器が故障しているあるいは異常である（異常）ことを示す。
【００１６】
プラントデータ集積装置１０４は、検出器毎のプラント値３２０及び検出器毎の異常信号３２１のデータを参照して、プラントデータＰ及び機器異常信号Ｘの各データを受信、保存する際に異常信号が発生している点番号のデータに不信頼符号を付加し、不信頼符号の有無を区別する。そのデータを技術計算装置１０５に送信するとともに、不信頼情報ファイル３０７に保存する。不信頼情報ファイル３０７の内容である不信頼情報データＤ３１７において、データ伝送器１２５から送信されたプラントデータＰ１２５に、機器異常信号Ｘ１２５が１であるため、不信頼符号＊が付加されている。プラントデータＰ１２３、Ｐ１２４、Ｐ１２６は、機器異常信号Ｘが０であるため、不信頼符号＊は付加されていない。
【００１７】
技術計算装置１０５は、プラントデータ集積装置１０４から送信されたデータと計算式１１５に基づいて、監視画面表示或いは関係他部門に送付するためのデータを計算する技術計算（性能計算等）等の予測計算処理を行なう。技術計算装置１０５にて計算されたデータを計算情報ファイル３０８に保存する。この際、不信頼のデータを使用して計算した結果には不信頼符号を付加して不信頼符号の有無を区別し、不信頼として保存する。技術計算装置１０５が計算した結果は、表示装置１０６に送信されるとともに関係他部門１０７（図１参照）に送付される。計算情報ファイル３０８の内容である計算情報データＤ３１８において、プラントデータＰ１２５が関係する計算値Ｕ１２２１、Ｕ１２２２には、不信頼符号＊が付加されている。不信頼符号＊が付加されていないプラントデータＰ１２３、Ｐ１２４を使った計算値Ｕ１２２０には、不信頼符号＊が付加されていない。
【００１８】
表示装置１０６は、技術計算装置１０５から受信した計算結果を、表示形式に合わせて処理結果情報２６１として監視画面に表示する。処理結果情報２６１にて、計算値Ｕ１２２１の項目（名称）はＡ圧力であり、計算値Ｕ１２２１の項目はＢ圧力であり、計算値Ｕ１２２２の項目はＣ予測圧力である。なお、表示装置１０６は、監視画面に表示された処理結果情報２６１を印刷することもできる。
【００１９】
次に、不信頼データ検索、ポップアップ表示機能について図２を用いて説明する。監視員は表示装置１０６の表示画面１０８の補助ボタン１０９を押した後に、不信頼となっている異常計算結果（数値または項目）をタッチして選択する。例えば、異常計算結果となっているＣ予測圧力のデータである１５０．０が選択された場合は、その選択情報が矢印２１４に示すように不信頼データ元点番号検索装置１０１の不信頼データ元点番号検索処理部２０４に送られる。不信頼データ元点番号検索処理部２０４は、データ不信頼関連情報ファイル２０２、データ計算処理情報ファイル２０３、不信頼情報ファイル３０７、計算情報ファイル３０８の内容を検索する。これらのファイルの内容であるデータ不信頼関連情報Ｄ２１２、データ計算処理情報Ｄ２１３、不信頼情報Ｄ３１７、計算情報Ｄ３１８を参照して、元点番号を検索し、その検索結果情報２６２を矢印２１７に示すように表示画面１０８に送り、表示画面１０８に検索結果情報２６２がポップアップで表示される。
【００２０】
データ不信頼関連情報ファイル２０２は、プラントデータ点番号、計算値データ点番号を関連付けしたデータベースである。データ計算処理情報ファイル２０３は、計算式の情報を保存したファイルである。Ｃ予測圧力のデータである１５０．０が選択された場合の動作を詳細に説明する。
【００２１】
不信頼データ元点番号検索処理部２０４は、表示装置１０６から送信された選択情報から、計算値Ｕ１２２２に関係する元点番号を得るために、データ不信頼関連情報Ｄ２１２、データ計算処理情報Ｄ２１３、不信頼情報Ｄ３１７、計算情報Ｄ３１８を参照する。データ不信頼関連情報Ｄ２１２またはデータ計算処理情報Ｄ２１３から関連する点番号を抽出する（ステップＳ００１）。例えばデータ不信頼関連情報Ｄ２１２から関連する点番号を抽出する場合は、次のようになる。データ不信頼関連情報Ｄ２１２内のＵ１２２２を検索する。Ｕ１２２２はＵ１２２１とＰ１２６に関連付けさているので、データ不信頼関連情報Ｄ２１２内のＵ１２２１を検索し、Ｐ１２４とＰ１２５が関連付けされていることを抽出する。検索結果として、点番号Ｕ１２２１、Ｐ１２６、Ｐ１２４、Ｐ１２５が抽出される。
【００２２】
また、データ計算処理情報Ｄ２１３から関連する点番号を抽出する場合は、次のようになる。データ計算処理情報Ｄ２１３内のＵ１２２２を検索する。Ｕ１２２２はＵ１２２１とＰ１２６が関係するので、データ計算処理情報Ｄ２１３内のＵ１２２１を検索し、Ｐ１２４とＰ１２５が関係することを抽出する。検索結果として、点番号Ｕ１２２１、Ｐ１２６、Ｐ１２４、Ｐ１２５が抽出される。
【００２３】
ステップＳ００２として、不信頼情報Ｄ３１７及び計算情報Ｄ３１８から不信頼となっている点番号を抽出する。表示画面１０８にて選択されたＵ１２２２を計算情報Ｄ３１８内で検索し、Ｕ１２２２が不信頼データであることを抽出する。計算情報Ｄ３１８内のＵ１２２１を検索し、Ｕ１２２１が不信頼データであることを抽出する。不信頼情報Ｄ３１７内のＰ１２６、Ｐ１２４、Ｐ１２５を検索し、Ｐ１２５が不信頼データであることを抽出する。なお、表示画面１０８にて選択されたＵ１２２２は選択された際に不信頼データであることが分かるので、Ｕ１２２２については計算情報Ｄ３１８内で検索しなくてもよい。
【００２４】
ステップＳ００３として、検索結果情報２６２を予め決められて表示形式に合わせて表示装置１０６の表示画面１０８に検索結果情報２６２がポップアップで表示する。検索結果情報２６２の左側には点番号が階層毎に展開されて表示される。第１列には選択された点番号Ｕ１２２２が表示され、第２列にはＵ１２２２に関連する点番号Ｕ１２２１とＰ１
２６が表示され、第３列にはＵ１２２１に関連する点番号Ｐ１２４、Ｐ１２５が表示される。第４列には不信頼データか否かが表示され、第５列には各点番号のデータの値が表示される。
【００２５】
ステップＳ００１及びＳ００２は、選択された異常計算結果に関連する機器を検索する検索手順である。ステップＳ００３は、検索手順で検索された関連機器情報を含んだ検索結果情報を生成する検索結果情報生成手順である。
【００２６】
図２に示したように、Ｃ予測圧力のデータである１５０．０が選択された場合は、表示装置１０６の表示画面１０８に検索結果情報２６２がポップアップで表示される。Ｃ予測圧力計算値（Ｕ１２２２）は、Ｕ１２２１とＰ１２６で計算されており、さらにＵ１２２１は、Ｐ１２４とＰ１２５で計算されていることがわかり、Ｕ１２２２が不信頼のデータとなっているのは、Ｐ１２５のデータが不信頼状態であるためであり、Ｐ１２５に相当する検出器関連の故障あるいは異常であることがわかる。
【００２７】
実施の形態１のプラント監視装置１５０は、技術計算装置１０５が計算した計算データが不信頼となった場合に、その不信頼データの点番号から異常となるような原因となった元データの点番号や関係する機器を効率よく検索する手段である不信頼データ元点番号検索装置１０１を設けた。実施の形態１のプラント監視装置１５０は、異常となった機器を特定する際に、推論機能を基にした原因究明機能を使うことなく、既にプラント監視で使用されているプラントデータＰ、計算値のデータのそれぞれの点番号を関係付けて検索可能なデータベース（データ不信頼関連情報ファイル２０２、データ計算処理情報ファイル２０３、不信頼情報ファイル３０７、計算情報ファイル３０８）として作成し、不信頼となったデータの点番号をもとに効率良く原因、異常機器の検索を行なうことができる。
【００２８】
実施の形態１のプラント監視装置１５０によれば、監視対象装置１３２、１３３、１３４、１３５、１３６の機器に異常がある場合に、異常のある機器からのプラントデータである異常プラントデータと異常プラントデータを使用して計算した異常計算結果に不信頼符号が付加された処理結果情報２６１を表示する表示装置１０６と、表示装置１０６に表示された処理結果情報２６１における不信頼符号が付加された異常計算結果の数値または項目が選択された場合に、選択された異常計算結果に関連する機器を検索し、検索された関連機器情報を含んだ検索結果情報２６２を表示装置１０６に表示させる不信頼データ元点番号検索装置１０１と、を備えたので、不信頼データ元点番号検索装置１０１がプラントデータＰ、計算値のデータのそれぞれの点番号を関係付けて検索可能なデータベース２０２、２０３、３０７、３０８から選択された不信頼データの点番号をもとに、原因となった機器の点番号を抽出でき、プラントデータＰや計算値の点番号と不信頼表示を明示した検索結果情報２６２を得ることができ、表示装置１０６に表示させることができる。監視データに異常が発生した場合に、問題のある機器を効率的に特定することができる。したがって、問題のある機器を従来よりも短時間で特定することができ、問題のある機器の対処や復旧作業を短時間で開始することができる。問題のある機器の対処や復旧作業を短時間で開始することができるので、問題発生から問題のある機器の対処や復旧にかかる時間を短くすることができ、監視データ異常時の原因究明、復旧作業の支援を強化することができる。
【００２９】
実施の形態１のプラント監視装置の情報生成方法によれば、監視対象装置の機器に異常がある場合に、異常のある機器からのプラントデータである異常プラントデータに基づいて計算した異常計算結果に不信頼符号が付加された処理結果情報から、異常計算結果に関連する機器情報を含んだ検索結果情報を生成するプラント監視装置の情報生成方法であって、処理結果情報における不信頼符号が付加された異常計算結果の数値または項目が選択された場合に、選択された異常計算結果に関連する機器を検索する検索手順と、検索手順
で検索された関連機器情報を含んだ検索結果情報を生成する検索結果情報生成手順と、を含むので、監視データ異常が発生した場合に、問題のある機器を効率的に特定することができる。
【００３０】
なお、不信頼データを含んだ計算結果が他部門１０７に送られた場合に、他部門１０７において、不信頼データ元点番号検索装置１０１が設置され、データベースであるデータ不信頼関連情報ファイル２０２、データ計算処理情報ファイル２０３、不信頼情報ファイル３０７、計算情報ファイル３０８を参照できるようにしてもよい。このようにすることで、他部門１０７においても不信頼となったデータの点番号をもとに効率良く原因、異常機器の検索を行なうことができる。したがって、他部門１０７においても、技術計算装置１０５から送付されてきた計算結果の使用や、機器への適用、制御を素早く判断できる。
【００３１】
実施の形態２．
実施の形態１では、不信頼データ元点番号検索装置１０１により、故障や異常となったプラント監視システム上の機器を検索する場合について述べたが、図４に示すように不信頼データ影響範囲検索装置４０９を設け、故障したあるいは異常のある機器あるいは、調整等で故意に停止させた機器から得たプラント値を使用して計算している点番号を検索することにより、他部門に影響するか否かを表示し、関連他部門１０７に送付しているデータの信頼性への影響を早く報告することができる。
【００３２】
図４は本発明の実施の形態２によるプラント監視システムの構成を示す図である。実施の形態１のプラント監視装置１５０ａとは、不信頼データ影響範囲検索装置４０９を有する点で異なる。図５は不信頼データ影響範囲検索装置４０９の処理を説明する図である。図５を用いて、不信頼データ影響範囲検索処理を説明する。まず、表示装置１０６の表示画面１０８にシステム機器情報５６１を表示させる。システム機器情報５６１は、プラント監視装置１５０が監視対象とする機器（点番号）の一覧情報である。監視員は表示装置１０６の表示画面１０８の補助ボタン１０９を押した後に、故障（異常）あるいは停止させた機器をタッチし選択する。例えば、検出器３のプラントデータＰ１２３が選択された場合は、その選択情報が矢印５１４に示すように不信頼データ影響範囲検索装置４０９の不信頼データ影響範囲検索処理部５０４に送られる。
【００３３】
不信頼データ影響範囲検索処理部５０４は、データ不信頼関連情報ファイル２０２、データ計算処理情報ファイル２０３の内容を検索する。これらのファイルの内容であるデータ不信頼関連情報Ｄ２１２、データ計算処理情報Ｄ２１３を参照して、元点番号を検索し、表示した点番号から関係他部門に送付しているデータかどうかを判断できるように、技術計算装置１０５が関係他部門１０７に送付した情報（図示せず）から検索したデータの種別を含めて、その検索結果情報５６２を矢印５１７に示すように表示画面１０８に送り、表示画面１０８に検索結果情報５６２がポップアップで表示される。
【００３４】
図５に示したように検出器３のプラントデータＰ１２３が選択された場合は、表示装置１０６の表示画面１０８に検索結果情報５６２がポップアップで表示される。検索結果情報５６２の左側には点番号が階層毎に展開されて表示される。第１列には選択された点番号Ｐ１２３が表示され、第２列にはＰ１２３を使用して計算している点番号Ｕ１２３１とＵ１３５５が表示され、第３列にはＵ１２３１を使用している点番号Ｕ１２５５とＵ１３５５を使用して計算している点番号Ｕ１３８０が表示される。第４列にはデータの種別が表示される。
【００３５】
図５において、Ｐ１２３の値は、Ｕ１２３１の計算で使用され、Ｕ１３５５の計算でも使用されている。Ｕ１２３１は、Ｕ１２５５の計算で使用され、Ｕ１３５５は、Ｕ１３８０の計算で使用されている。Ｕ１２５５は、関係他部門１０７への送付データであることから装置（Ｐ１２３）が、故障あるいは停止させた場合は、関係他部門１０７に送付したデータが不信頼となるため、関係他部門１０７への報告が必要となることがわかる。
【００３６】
実施の形態２のプラント監視装置１５０（１５０ｂ）は、異常となったデータを用いた他の計算値データへの影響範囲を確定する際に、推論機能を基にした原因究明機能を使うことなく、既にプラント監視で使用されているプラントデータ、計算値のデータのそれぞれの点番号を関係付けて検索可能なデータベース（データ不信頼関連情報ファイル２０２、データ計算処理情報ファイル２０３）として作成し、不信頼となったデータの点番号をもとに効率良く異常機器の検索及びデータ種別の検索を行ない、プラントデータＰや計算値の点番号と不信頼表示を明示し、データ種別を追加した検索結果情報５６２を得ることができ、表示装置１０６に表示させることができる。これを利用することで、故障（異常）あるいは機器調整等で停止させた監視装置のデータが及ぼす他システムへの影響範囲を簡単に早く検知するができる。したがって、故障（異常）あるいは機器調整等で停止させた監視装置のデータが及ぼす他システムへの影響範囲を簡単に早く検知し、復旧作業、関係先への連絡を早く行なうことができる。
【００３７】
実施の形態３．
実施の形態１、２ではシステムの機器が故障あるいは、停止させた時の情報から異常機器あるいは、不信頼となったデータが及ぼす影響範囲の検索を行なった。実施の形態３では、不信頼データ元点番号検索装置１０１や不信頼データ影響範囲検索装置４０９において、不信頼原因情報Ｄ７１１を使用して、計算処理上異常となった原因（計算データの許容レンジ逸脱等）も表示した。これにより、監視システムにおける異常原因の判断を容易にすることができる。
【００３８】
図６は本発明の実施の形態３によるプラント監視システムの構成を示す図である。実施の形態２のプラント監視装置１５０ｂとは、不信頼データ元点番号検索装置１０１（１０１ｂ）や不信頼データ影響範囲検索装置４０９（４０９ｂ）において、不信頼原因情報Ｄ７１１を使用する点で異なる。技術計算装置１０５は、技術計算（性能計算等）、予測診断計算を実施中に異常な計算値となった場合は、計算値に不信頼の符号をつけ、計算処理上異常となった原因（計算データの許容レンジ逸脱等）と入力値の異常（レンジ逸脱）についてもデータ計算時の不信頼原因情報ファイル７０１に保存する。
【００３９】
図７は不信頼データ元点番号検索装置１０１（１０１ｂ）の処理を説明する図である。実施の形態１と同様な動作により、表示装置１０６の表示画面１０８に処理結果情報２６１が表示される。監視員は表示装置１０６の表示画面１０８の補助ボタン１０９を押した後に、不信頼となっているデータをタッチして選択する。例えば、異常計算結果となっているＣ予測圧力のデータである１５０．０が選択された場合は、その選択情報が矢印２１４に示すように不信頼データ元点番号検索装置１０１ｂの不信頼データ元点番号検索処理部２０４（２０４ｂ）に送られる。不信頼データ元点番号検索処理部２０４ｂは、データ不信頼関連情報ファイル２０２、データ計算処理情報ファイル２０３、不信頼情報ファイル３０７、計算情報ファイル３０８の内容を検索する。
【００４０】
これらのファイルの内容であるデータ不信頼関連情報Ｄ２１２、データ計算処理情報Ｄ２１３、不信頼情報Ｄ３１７（Ｄ３１７ｂ）、計算情報Ｄ３１８を参照して、元点番号を検索し、その検索結果に対して、データ計算時の不信頼原因情報ファイル７０１の内容である不信頼原因情報Ｄ７１１を参照し、不信頼の原因を含めた検索結果情報７６２を矢印２１７に示すように表示画面１０８に送り、表示画面１０８に検索結果情報７６２がポップアップで表示される。検索結果情報７６２は、実施の形態１の検索結果情報２６２（図２参照）とは、原因情報（左から第５列）が追加された点で異なる。なお、索結果情報７６２における不信頼符号＊の位置は、検索結果情報２６２とは異なる場合を示している。
【００４１】
図７に示したように、Ｃ予測圧力のデータである１５０．０が選択された場合は、表示装置１０６の表示画面１０８に検索結果情報７６２がポップアップで表示される。Ｃ予測圧力計算値（Ｕ１２２２）は、Ｕ１２２１とＰ１２６で計算されており、さらにＵ１２２１は、Ｐ１２４とＰ１２５で計算されていることがわかり、Ｕ１２２２が不信頼のデータとなっているのは、Ｕ１２２１の計算値が不信頼状態であるためと分かる。また、点番号Ｐ１２４、Ｐ１２５のデータが正常であり、計算値（Ｕ１２２１）のみ不信頼となっており、その原因が計算データの許容レンジ逸脱であることが分かる。このような場合は、技術計算装置１０５の故障（異常）、ノイズ等による伝送エラー等が考えられる。
【００４２】
図８は、不信頼データ影響範囲検索装置４０９（４０９ｂ）の処理を説明する図である。実施の形態２と同様に、表示装置１０６の表示画面１０８にシステム機器情報５６１を表示させる。監視員は表示装置１０６の表示画面１０８の補助ボタン１０９を押した後に、故障（異常）あるいは停止させた機器をタッチし選択する。例えば、検出器３のプラントデータＰ１２３が選択された場合は、その選択情報が矢印５１４に示すように不信頼データ影響範囲検索装置４０９ｂの不信頼データ影響範囲検索処理部５０４ｂに送られる。
【００４３】
不信頼データ影響範囲検索処理部５０４ｂは、データ不信頼関連情報ファイル２０２、データ計算処理情報ファイル２０３の内容を検索する。これらのファイルの内容であるデータ不信頼関連情報Ｄ２１２、データ計算処理情報Ｄ２１３を参照して、元点番号を検索し、その検索結果に対して、データ計算時の不信頼原因情報ファイル７０１の内容である不信頼原因情報Ｄ７１１を参照し、不信頼の原因を含め、さらに、技術計算装置１０５が関係他部門１０７に送付した情報（図示せず）から検索したデータの種別を含めて、その検索結果情報８６２を矢印５１７に示すように表示画面１０８に送り、表示画面１０８に検索結果情報８６２がポップアップで表示される。なお、図８の不信頼原因情報Ｄ７１１の内容は、図７の不信頼原因情報Ｄ７１１と異なる場合を示している。
【００４４】
検索結果情報８６２は、実施の形態２の検索結果情報５６２（図５参照）とは、原因情報（左から第４列）が追加された点で異なる。Ｕ１２５５は、関係他部門１０７への送付データであることから装置（Ｐ１２３）が、故障（異常）あるいは停止させた場合は、関係他部門１０７に送付したデータが不信頼となるため、関係他部門１０７への報告が必要となることがわかる。また計算値Ｕ１２５５の不信頼となる原因が計算データの許容レンジ逸脱であることが分かる。このような場合は、技術計算装置１０５の故障（異常）、ノイズ等による伝送エラー等が考えられ、関係他部門１０７への報告の際に、計算値Ｕ１２５５の不信頼となる原因及び異常原因機器の推定異常原因も知らせることができる。したがって、その報告を受けた関係他部門１０７においても、影響の大きさや対処方法の検討において利用でき、対処方法を迅速に決定することができる。
【００４５】
実施の形態３のラント監視装置１５０（１５０ｃ）は、プラントデータＰや計算値の点番号と不信頼表示を明示し、その不信頼となった原因を追加した検索結果情報７６２や、データ種別を追加した検索結果情報８６２を得ることができ、表示装置１０６に表示させることができる。したがってその不信頼となった原因から、技術計算装置１０５の故障（異常）、ノイズ等による伝送エラー等の異常原因機器の異常原因を迅速に推定することができる。また、関係他部門１０７への報告の際に、計算値Ｕ１２５５の不信頼となる原因及び異常原因機器の推定異常原因も知らせることができる。したがって、その報告を受けた関係他部門１０７においても、影響の大きさや対処方法の検討において利用でき、対処方法を迅速に決定することができる。
【００４６】
実施の形態４．
実施の形態３では、不信頼データ元点番号検索装置１０１ｂが不信頼原因情報Ｄ７１１
を使用して、計算結果が不信頼となったデータ、点番号、計算処理上異常となった原因をポップアップで表示した。実施の形態４では、さらに予測処理等の計算式を確認できるようにポップアップで計算式を表示する機能を追加した。これにより、プラント監視の効率向上を図ることができる。
【００４７】
図９は本発明の実施の形態４によるプラント監視システムの構成を示す図である。実施の形態３のプラント監視装置１５０ｃとは、不信頼データ元点番号検索装置１０１（１０１ｃ）において、検索結果情報とともに計算式情報８１１を表示装置１０６に送信する点で異なる。
【００４８】
図１０は不信頼データ元点番号検索装置１０１（１０１ｃ）の処理を説明する図である。実施の形態１と同様な動作により、表示装置１０６の表示画面１０８に処理結果情報２６１が表示される。実施の形態３と同様な動作を行う。監視員は表示装置１０６の表示画面１０８の補助ボタン１０９を押した後に、不信頼となっているデータをタッチして選択する。例えば、異常計算結果となっているＣ予測圧力のデータである１５０．０が選択された場合は、その選択情報が矢印２１４に示すように不信頼データ元点番号検索装置１０１ｃの不信頼データ元点番号検索処理部２０４（２０４ｃ）に送られる。不信頼データ元点番号検索処理部２０４ｃは、データ不信頼関連情報ファイル２０２、データ計算処理情報ファイル２０３、不信頼情報ファイル３０７、計算情報ファイル３０８の内容を検索する。
【００４９】
これらのファイルの内容であるデータ不信頼関連情報Ｄ２１２、データ計算処理情報Ｄ２１３、不信頼情報Ｄ３１７（Ｄ３１７ｂ）、計算情報Ｄ３１８を参照して、元点番号を検索し、その検索結果に対して、データ計算時の不信頼原因情報ファイル７０１の内容である不信頼原因情報Ｄ７１１を参照し、不信頼の原因を含め、さらに計算式情報８１１を追加した検索結果情報９６２を矢印２１７に示すように表示画面１０８に送り、表示画面１０８に検索結果情報９６２がポップアップで表示される。検索結果情報９６２は、実施の形態３の検索結果情報７６２（図７参照）とは、点番号Ｕ１２２２に計算式情報８１１がプロパティー情報のように付加された点で異なる。
【００５０】
表示装置１０６の表示画面１０８に表示された検索結果情報９６２において、計算値の点番号Ｕ１２２２を画面からタッチすることにより、図１１に示すようにポップアップで計算式が計算式表示９１２として表示画面１０８に表示される。図１１は図１０の検索結果情報が、点番号Ｕ１２２２をタッチされたことにより変化した後の表示例を示す図である。
【００５１】
実施の形態４のラント監視装置１５０（１５０ｄ）は、プラントデータＰや計算値の点番号と不信頼表示を明示した検索結果情報９６２から予測処理等の計算式を表示できる。したがって、予測処理等の計算式を確認して結果の判断を行なう必要がある場合に、容易にかつ迅速に計算式を確認できるので、プラント監視の効率向上を図ることができる。また、問題のある機器や計算値を従来よりも短時間で特定することができ、問題のある機器の対処や復旧作業を短時間で開始することができる。問題のある機器の対処や復旧作業を短時間で開始することができるので、問題発生から問題のある機器の対処や復旧にかかる時間を短くすることができ、監視データ異常時の原因究明、復旧作業の支援を強化することができる。
【００５２】
なお、実施の形態４のポップアップで計算式を表示する機能は、実施の形態１、２においても適用できる。
【符号の説明】
【００５３】
１０１、１０１ａ、１０１ｂ、１０１ｃ…不信頼データ元点番号検索装置、１０６…表示装置、１３２、１３３、１３４、１３５…監視対象装置、１５０、１５０ａ、１５０ｂ、１５０ｃ、１５０ｄ…プラント監視装置、２０２…データ不信頼関連情報ファイル、２０３…データ計算処理情報ファイル、２６１…処理結果情報、２６２…検索結果情報、３０７…不信頼情報ファイル、３０８…計算情報ファイル、４０９、４０９ａ、４０９ｂ…不信頼データ影響範囲検索装置、５６１…システム機器情報、５６２…検索結果情報、７６２…検索結果情報、８１１…計算式情報、８６２…検索結果情報、９６２…検索結果情報、Ｄ２１２…データ不信頼関連情報、Ｄ２１３…データ計算処理情報、Ｄ３１７…不信頼情報、Ｄ３１８…計算情報、Ｐ…プラントデータ。
【図１】
2011221601.tif 000003
【図２】
2011221601.tif 000004
【図３】
2011221601.tif 000005
【図４】
2011221601.tif 000006
【図５】
2011221601.tif 000007
【図６】
2011221601.tif 000008
【図７】
2011221601.tif 000009
【図８】
2011221601.tif 000010
【図９】
2011221601.tif 000011
【図１０】
2011221601.tif 000012
【図１１】
2011221601.tif 000013